(57)【要約】【課題】携帯電話装置における安定した動作を確保しつつ、携帯電話装置の一部を分離して使用すること。【解決手段】携帯電話装置の一部を構成する子機３を、装置本体を構成する親機２から分離可能に設け、親機２及び子機３にそれぞれ電池部を備えた携帯電話装置１であって、親機２及び子機３の電池残量を検出する電池残量検出手段と、この電池残量検出手段で検出した電池残量を相手先装置に通知する電池残量通知手段と、親機２及び子機３の電池残量に応じて親機２及び子機３が有するデバイスの動作を定めた動作テーブルを保持するテーブル保持手段と、上記電池残量通知手段で通知された相手先装置の電池残量及び上記動作テーブルの内容に基づいて親機２及び子機３が有するデバイスの動作を決定する制御手段とを具備することを特徴とする。【選択図】図１
2010124379.tif 000002
【特許請求の範囲】
【請求項１】
携帯電話装置の一部を構成する第１装置を、装置本体を構成する第２装置から分離可能に設け、前記第１装置及び第２装置にそれぞれ電池部を備えた携帯電話装置であって、
前記第１装置及び第２装置の電池残量を検出する電池残量検出手段と、前記電池残量検出手段で検出した電池残量を相手先装置に通知する電池残量通知手段と、前記第１装置及び第２装置の電池残量に応じて前記第１装置及び第２装置が有するデバイスの動作を定めた動作テーブルを保持するテーブル保持手段と、前記電池残量通知手段で通知された相手先装置の電池残量及び前記テーブル保持手段に保持された前記動作テーブルの内容に基づいて前記第１装置及び第２装置が有するデバイスの動作を決定する制御手段とを具備することを特徴とする携帯電話装置。
【請求項２】
前記制御手段は、前記電池残量検出手段で検出した前記第１装置の電池残量及び前記電池残量通知手段で通知された前記第２装置の電池残量と、前記テーブル保持手段に保持された前記動作テーブルの内容とに従って前記第１装置が有するデバイスの動作を決定することを特徴とする請求項１記載の携帯電話装置。
【請求項３】
前記制御手段は、前記電池残量検出手段で検出した前記第２装置の電池残量及び前記電池残量通知手段で通知された前記第１装置の電池残量と、前記テーブル保持手段に保持された前記動作テーブルの内容とに従って前記第２装置が有するデバイスの動作を決定することを特徴とする請求項１記載の携帯電話装置。
【請求項４】
前記第１装置及び第２装置の電池残量を表示する表示手段を前記第１装置及び第２装置のデバイスとして具備する一方、前記第１装置及び第２装置の電池残量に応じた前記表示手段における表示内容を定めた表示動作テーブルを前記動作テーブルとして前記テーブル保持手段に保持し、前記制御手段は、前記電池残量検出手段で前記第１装置及び第２装置の少なくとも一方の電池残量の変更が検出された場合に前記電池残量検出手段で検出された前記第１装置及び第２装置の電池残量及び前記電池残量通知手段で通知された相手先装置の電池残量と、前記表示動作テーブルの内容とに応じて前記表示手段に表示される前記第１装置及び第２の電池残量を決定することを特徴とする請求項１から請求項３のいずれかに記載の携帯電話装置。
【請求項５】
前記表示動作テーブルに、前記第１装置及び第２装置の少なくとも一方の電池残量が無くなって電源オフ状態となる前にその旨を報知する表示内容を定めたことを特徴とする請求項４記載の携帯電話装置。
【請求項６】
相手先装置の電池部を充電する充電手段を前記第１装置及び第２装置のデバイスとして具備する一方、前記第１装置及び第２装置の電池残量に応じた前記充電手段における充電動作の有無を定めた充電動作テーブルを前記動作テーブルとして前記テーブル保持手段に保持し、前記制御手段は、前記電池残量検出手段で検出された前記第１装置及び第２装置の電池残量及び前記電池残量通知手段で通知された相手先装置の電池残量と、前記充電動作テーブルの内容とに応じて前記充電手段の充電動作の有無を決定することを特徴とする請求項１から請求項５のいずれかに記載の携帯電話装置。
【請求項７】
前記第１装置及び第２装置の一方が電源オフ状態とされた場合に他方側装置で駆動されるデバイスを定めたデバイス動作テーブルを前記動作テーブルとして前記テーブル保持手段に保持し、前記制御手段は、前記電池残量検出手段で前記第１装置及び第２装置の一方が電源オフ状態であると検出された場合に前記デバイス動作テーブルの内容に応じて駆動されるデバイスを決定することを特徴とする請求項１から請求項６のいずれかに記載の携帯電話装置。
【請求項８】
前記デバイス動作テーブルに、前記第１装置又は第２装置で動作する機能に応じて駆動されるデバイスを定めたことを特徴とする請求項７記載の携帯電話装置。
【請求項９】
携帯電話装置の一部を構成する第１装置を、装置本体を構成する第２装置から分離可能に設け、前記第１装置及び第２装置にそれぞれ電池部を備えた携帯電話装置の制御方法であって、
前記第１装置及び第２装置の電池残量を検出するステップと、検出された電池残量を相手先装置に通知するステップと、通知された前記相手先装置の電池残量及び前記第１装置及び第２装置の電池残量に応じて前記第１装置及び第２装置が有するデバイスの動作を定めた動作テーブルの内容に基づいて前記第１装置及び第２装置が有するデバイスの動作を決定するステップとを具備することを特徴とする携帯電話装置の制御方法。
【請求項１０】
携帯電話装置の一部の機能を搭載する子機ユニットと、この子機ユニットが分離可能に設けられた親機ユニットとを具備し、前記子機側ユニット及び親機ユニットにそれぞれ電池部を備えた携帯電話システムであって、
前記子機ユニットは、当該子機ユニットの電池残量を検出する第１電池残量検出手段と、前記第１電池残量検出手段で検出した電池残量を前記親機ユニットに通知する第１電池残量通知手段と、前記子機ユニット及び親機ユニットの電池残量に応じて前記子機ユニットが有するデバイスの動作を定めた第１動作テーブルを保持する第１テーブル保持手段と、前記親機ユニットから通知された当該親機ユニットの電池残量及び前記第１テーブル保持手段に保持された前記第１動作テーブルの内容に基づいて前記子機ユニットが有するデバイスの動作を決定する第１制御手段とを具備し、
前記親機ユニットは、当該親機ユニットの電池残量を検出する第２電池残量検出手段と、前記第２電池残量検出手段で検出した電池残量を前記子機ユニットに通知する第２電池残量通知手段と、前記子機ユニット及び親機ユニットの電池残量に応じて前記親機ユニットが有するデバイスの動作を定めた第２動作テーブルを保持する第２テーブル保持手段と、前記子機ユニットから通知された当該子機ユニットの電池残量及び前記第２テーブル保持手段に保持された前記第２動作テーブルの内容に基づいて前記親機ユニットが有するデバイスの動作を決定する第２制御手段とを具備することを特徴とする携帯電話システム。
【発明の詳細な説明】
【技術分野】
【０００１】
本発明は、携帯電話装置、制御方法及び携帯電話システムに関し、特に、携帯電話装置の一部を分離可能に設けた携帯電話装置、制御方法及び携帯電話システムに関する。
【背景技術】
【０００２】
従来、テレビ電話機能を使用する際の利便性を向上するために、携帯電話装置の一部を構成する撮像・表示ユニットを、携帯電話装置本体を構成する通話ユニットから分離可能に設けた携帯電話装置が提案されている（例えば、特許文献１参照）。この携帯電話装置においては、撮像・表示ユニット及び通話ユニットの双方に充電池を備え、各ユニットで外部からの電源供給を受けることなく動作できるように構成されている。
【特許文献１】特開２００４−１２００５６号公報
【発明の開示】
【発明が解決しようとする課題】
【０００３】
ところで、現在、携帯電話装置には多様な機能が搭載されており、上述したような一部を分離可能な携帯電話装置においては、各ユニット単独で利用可能な機能（例えば、上述した通話ユニットのみによる音声通話機能など）が存在することが考えられる。しかしながら、このような機能を多用した場合には、一方のユニットの充電池だけが過度に消耗する事態が発生し得る。この場合、撮像・表示ユニットを通話ユニットに接続した状態で利用不能な機能が発生するなど、携帯電話装置における安定した動作を確保することが困難になると考えられる。
【０００４】
本発明は、このような実情に鑑みて為されたものであり、携帯電話装置における安定した動作を確保しつつ、携帯電話装置の一部を分離して使用することができる携帯電話装置、制御方法及び携帯電話システムを提供することを目的とする。
【課題を解決するための手段】
【０００５】
本発明の携帯電話装置は、携帯電話装置の一部を構成する第１装置を、装置本体を構成する第２装置から分離可能に設け、前記第１装置及び第２装置にそれぞれ電池部を備えた携帯電話装置であって、前記第１装置及び第２装置の電池残量を検出する電池残量検出手段と、前記電池残量検出手段で検出した電池残量を相手先装置に通知する電池残量通知手段と、前記第１装置及び第２装置の電池残量に応じて前記第１装置及び第２装置が有するデバイスの動作を定めた動作テーブルを保持するテーブル保持手段と、前記電池残量通知手段で通知された相手先装置の電池残量及び前記テーブル保持手段に保持された前記動作テーブルの内容に基づいて前記第１装置及び第２装置が有するデバイスの動作を決定する制御手段とを具備することを特徴とする。
【０００６】
この構成によれば、相手先装置の電池残量及び動作テーブルの内容に基づいて第１装置及び第２装置が有するデバイスの動作が決定されることから、分離可能な構成を有する場合においても相手先装置の電池残量に応じて第１装置及び第２装置が有するデバイスの動作を選択することができる。これにより、例えば、一方の装置における電池残量が少ないような場合には、他方の装置でその旨を報知することや、他方の装置から一方の装置の電池部の充電を行うことなどが可能となるので、ユーザが予期することなく携帯電話装置が搭載する機能が利用不能となるような事態を防止でき、携帯電話装置における安定した動作を確保しつつ、携帯電話装置の一部を分離して使用することが可能となる。
【０００７】
例えば、本発明の携帯電話装置において、前記制御手段は、前記電池残量検出手段で検出した前記第１装置の電池残量及び前記電池残量通知手段で通知された前記第２装置の電池残量と、前記テーブル保持手段に保持された前記動作テーブルの内容とに従って前記第１装置が有するデバイスの動作を決定する。この場合には、第１装置の電池残量及び第２装置の電池残量と、動作テーブルの内容とに従って第１装置が有するデバイスの動作が決定されることから、例えば、第２装置における電池残量が少ないような場合には、第１装置でその旨を報知することや、第１装置から第２装置の電池部の充電を行うことなどが可能となるので、ユーザが予期することなく携帯電話装置が搭載する機能が利用不能となるような事態を防止でき、携帯電話装置における安定した動作を確保することが可能となる。
【０００８】
また、本発明の携帯電話装置において、前記制御手段は、前記電池残量検出手段で検出した前記第２装置の電池残量及び前記電池残量通知手段で通知された前記第１装置の電池残量と、前記テーブル保持手段に保持された前記動作テーブルの内容とに従って前記第２装置が有するデバイスの動作を決定する。この場合には、第１装置の電池残量及び第２装置の電池残量と、動作テーブルの内容とに従って第２装置が有するデバイスの動作が決定されることから、例えば、第１装置における電池残量が少ないような場合には、第２装置でその旨を報知することや、第２装置から第１装置の電池部の充電を行うことなどが可能となるので、ユーザが予期することなく携帯電話装置が搭載する機能が利用不能となるような事態を防止でき、携帯電話装置における安定した動作を確保することが可能となる。
【０００９】
本発明の携帯電話装置においては、前記第１装置及び第２装置の電池残量を表示する表示手段を前記第１装置及び第２装置のデバイスとして具備する一方、前記第１装置及び第２装置の電池残量に応じた前記表示手段における表示内容を定めた表示動作テーブルを前記動作テーブルとして前記テーブル保持手段に保持し、前記制御手段は、前記電池残量検出手段で前記第１装置及び第２装置の少なくとも一方の電池残量の変更が検出された場合に前記電池残量検出手段で検出された前記第１装置及び第２装置の電池残量及び前記電池残量通知手段で通知された相手先装置の電池残量と、前記表示動作テーブルの内容とに応じて前記表示手段に表示される前記第１装置及び第２の電池残量を決定することが好ましい。この場合には、第１装置及び第２装置の少なくとも一方の電池残量の変更が検出されると、第１装置及び第２装置の電池残量及び通知された相手先装置の電池残量と、表示動作テーブルの内容とに応じて表示手段に表示される第１装置及び第２の電池残量が決定されることから、常に最新の第１装置及び第２装置の電池残量を表示手段に表示することができるので、各装置における最新の電池残量状態をユーザに報知することが可能となる。
【００１０】
特に、本発明の携帯電話装置においては、前記表示動作テーブルに、前記第１装置及び第２装置の少なくとも一方の電池残量が無くなって電源オフ状態となる前にその旨を報知する表示内容を定めることが好ましい。この場合には、第１装置及び第２装置の少なくとも一方が電源オフ状態となる前にその旨をユーザに報知することができるので、充電動作等の処理をユーザに促すことが可能となる。
【００１１】
また、本発明の携帯電話装置においては、相手先装置の電池部を充電する充電手段を前記第１装置及び第２装置のデバイスとして具備する一方、前記第１装置及び第２装置の電池残量に応じた前記充電手段における充電動作の有無を定めた充電動作テーブルを前記動作テーブルとして前記テーブル保持手段に保持し、前記制御手段は、前記電池残量検出手段で検出された前記第１装置及び第２装置の電池残量及び前記電池残量通知手段で通知された相手先装置の電池残量と、前記充電動作テーブルの内容とに応じて前記充電手段の充電動作の有無を決定することが好ましい。この場合には、第１装置及び第２装置の電池残量及び通知された相手先装置の電池残量と、充電動作テーブルの内容とから充電動作の有無が決定されることから、例えば、一方の装置における電池残量が少ないような場合に、他方の装置から一方の装置の電池部の充電を行うことが可能となる。
【００１２】
さらに、本発明の携帯電話装置においては、前記第１装置及び第２装置の一方が電源オフ状態とされた場合に他方側装置で駆動されるデバイスを定めたデバイス動作テーブルを前記動作テーブルとして前記テーブル保持手段に保持し、前記制御手段は、前記電池残量検出手段で前記第１装置及び第２装置の一方が電源オフ状態であると検出された場合に前記デバイス動作テーブルの内容に応じて駆動されるデバイスを決定することが好ましい。この場合には、第１装置及び第２装置の一方が電源オフ状態であると検出された場合にデバイス動作テーブルの内容に応じて駆動されるデバイスが決定されることから、例えば、片方の装置で利用可能な機能の実行を確保することや、一方の装置の電源オフ状態に起因して特定の機能が利用できない旨をユーザに報知するなどが可能となる。
【００１３】
特に、本発明の携帯電話装置においては、前記デバイス動作テーブルに、前記第１装置又は第２装置で動作する機能に応じて駆動されるデバイスを定めることが好ましい。この場合には、第１装置又は第２装置で動作する機能に応じて駆動されるデバイスを選択することができるので、該当する機能に応じて必要なデバイスを適切に駆動することが可能となる。
【００１４】
本発明の携帯電話装置の制御方法は、携帯電話装置の一部を構成する第１装置を、装置本体を構成する第２装置から分離可能に設け、前記第１装置及び第２装置にそれぞれ電池部を備えた携帯電話装置の制御方法であって、前記第１装置及び第２装置の電池残量を検出するステップと、検出された電池残量を相手先装置に通知するステップと、通知された前記相手先装置の電池残量及び前記第１装置及び第２装置の電池残量に応じて前記第１装置及び第２装置が有するデバイスの動作を定めた動作テーブルの内容に基づいて前記第１装置及び第２装置が有するデバイスの動作を決定するステップとを具備することを特徴とする。
【００１５】
この方法によれば、相手先装置の電池残量及び動作テーブルの内容に基づいて第１装置及び第２装置が有するデバイスの動作が決定されることから、分離可能な構成を有する場合においても相手先装置の電池残量に応じて第１装置及び第２装置が有するデバイスの動作を選択することができる。これにより、例えば、一方の装置における電池残量が少ないような場合には、他方の装置でその旨を報知することや、他方の装置から一方の装置の電池部の充電を行うことなどが可能となるので、ユーザが予期することなく携帯電話装置が搭載する機能が利用不能となるような事態を防止でき、携帯電話装置における安定した動作を確保しつつ、携帯電話装置の一部を分離して使用することが可能となる。
【００１６】
本発明の携帯電話システムは、携帯電話装置の一部の機能を搭載する子機ユニットと、この子機ユニットが分離可能に設けられた親機ユニットとを具備し、前記子機側ユニット及び親機ユニットにそれぞれ電池部を備えた携帯電話システムであって、前記子機ユニットは、当該子機ユニットの電池残量を検出する第１電池残量検出手段と、前記第１電池残量検出手段で検出した電池残量を前記親機ユニットに通知する第１電池残量通知手段と、前記子機ユニット及び親機ユニットの電池残量に応じて前記子機ユニットが有するデバイスの動作を定めた第１動作テーブルを保持する第１テーブル保持手段と、前記親機ユニットから通知された当該親機ユニットの電池残量及び前記第１テーブル保持手段に保持された前記第１動作テーブルの内容に基づいて前記子機ユニットが有するデバイスの動作を決定する第１制御手段とを具備し、前記親機ユニットは、当該親機ユニットの電池残量を検出する第２電池残量検出手段と、前記第２電池残量検出手段で検出した電池残量を前記子機ユニットに通知する第２電池残量通知手段と、前記子機ユニット及び親機ユニットの電池残量に応じて前記親機ユニットが有するデバイスの動作を定めた第２動作テーブルを保持する第２テーブル保持手段と、前記子機ユニットから通知された当該子機ユニットの電池残量及び前記第２テーブル保持手段に保持された前記第２動作テーブルの内容に基づいて前記親機ユニットが有するデバイスの動作を決定する第２制御手段とを具備することを特徴とする。
【００１７】
この構成によれば、相手先ユニットの電池残量及び動作テーブルの内容に基づいて子機ユニット及び親機ユニットが有するデバイスの動作が決定されることから、分離可能な構成を有する場合においても相手先ユニットの電池残量に応じて子機ユニット及び親機ユニットが有するデバイスの動作を選択することができる。これにより、例えば、一方のユニットにおける電池残量が少ないような場合には、他方のユニットでその旨を報知することや、他方のユニットから一方のユニットの電池部の充電を行うことなどが可能となるので、ユーザが予期することなく携帯電話システムが搭載する機能が利用不能となるような事態を防止でき、携帯電話システムにおける安定した動作を確保しつつ、携帯電話システムの一部を分離して使用することが可能となる。
【発明の効果】
【００１８】
本発明によれば、相手先装置の電池残量及び動作テーブルの内容に基づいて第１装置及び第２装置が有するデバイスの動作が決定されることから、分離可能な構成を有する場合においても相手先装置の電池残量に応じて第１装置及び第２装置が有するデバイスの動作を選択することができる。これにより、例えば、一方の装置における電池残量が少ないような場合には、他方の装置でその旨を報知することや、他方の装置から一方の装置の電池部の充電を行うことなどが可能となるので、ユーザが予期することなく携帯電話装置が搭載する機能が利用不能となるような事態を防止でき、携帯電話装置における安定した動作を確保しつつ、携帯電話装置の一部を分離して使用することが可能となる。
【発明を実施するための最良の形態】
【００１９】
以下、本発明の実施の形態について添付図面を参照して詳細に説明する。なお、以下の説明においては、本発明を携帯電話装置（以下、単に「携帯電話」という）１に具現化した場合について説明するが、これに限定されるものではなく、携帯電話１の制御方法、並びに、親機ユニット及び子機ユニットを有する携帯電話システムとしても成立するものである。
【００２０】
図１は、本発明の一実施の形態に係る携帯電話装置１の外観を示す図である。図１に示すように、本実施の形態に係る携帯電話１は、携帯電話１の主たる機能を搭載する装置（第２装置）で構成される親機２と、携帯電話１の一部の機能を搭載する装置（第１装置）で構成される子機３とから構成されている。子機３は、親機２から分離可能に設けられ、親機２と後述する近距離無線通信を行うことにより子機３のみで携帯電話１の一部の機能（例えば、メール確認機能、ミュージックプレイヤ機能やワンセグ放送受信機能（以下、適宜「ワンセグ機能」という））を実行できるように構成されている。なお、親機２と子機３とは、磁石により所定箇所で接続可能に設けられており、接続された状態において通常の一体型の携帯電話として利用することが可能となっている。
【００２１】
例えば、このような分離型の携帯電話１においては、親機２を鞄等に入れる一方、子機３を音楽や映像のメディアプレイヤとして常に身につけ、複雑な操作が必要な場合にのみ親機２を取り出して親機２側から操作するような利用態様に好適である。また、例えば、お風呂などの電波が入り難い場所でワンセグ放送を視聴するような場合に、親機２を電波の入り易い窓際の位置に配置しておく一方、子機３のみをお風呂に持ち込んで親機２からワンセグ放送データを受信して視聴するような利用態様に好適である。本実施の形態においては、親機２と子機３とを分離した状態（以下、適宜「分離状態」という）や、親機２と子機３とを接続した状態（以下、適宜「接続状態」という）とされる携帯電話１における安定した動作を確保するものである。
【００２２】
以下、図１に示す携帯電話１の外観を適宜参照しながら図２及び図３を用いて携帯電話１が有する親機２及び子機３の構成について説明する。図２及び図３は、それぞれ本実施の形態に係る携帯電話１が有する親機２及び子機３の構成を示すブロック図である。なお、図２及び図３に示す携帯電話１の構成については、本発明を説明するために簡略化されたものであり、通常の携帯電話１が有する構成については具備されているものとする。
【００２３】
図２に示すように、本実施の形態に係る携帯電話１が有する親機２は、親機２の全体の制御を行う制御部２１と、この制御部２１に接続される無線通信部２２、短距離無線通信部２３、相手先電池残量記憶部２４、テーブル保持部２５、電池部２６及びデバイス群２７とから構成されている。そして、親機２に搭載されるデバイス群２７は、操作キー２７１、レシーバ２７２、マイク２７３、メインカメラ２７４、サブディスプレイ２７５及び相手先電池充電装置２７６を含んで構成されている。
【００２４】
無線通信部２２は、不図示のアンテナ装置を介して移動通信網上に配設される基地局装置との間の無線通信を行う。例えば、無線通信部２２は、他の携帯電話などと音声通信及びパケット通信を行う際に移動通信網を介して携帯電話１からの音声データ及びパケットデータを基地局装置に送信する一方、移動通信網を介して基地局装置から通信相手からの音声データ及びパケットデータを受信する。
【００２５】
短距離無線通信部２３は、不図示のアンテナ装置を介して子機３との間の短距離無線通信を行う。本実施の形態において、短距離無線通信部２３は、ブルートゥース（Bluetooth）通信を行い、子機３に対して音声データや画像データを送信する一方、子機３から送出された各種の処理要求等を受信する。特に、短距離無線通信部２３は、制御部２１と共に電池残量通知手段として機能するものであり、後述するような子機３との間の電池残量表示変更通知の送出及び受信を行う。なお、本実施の形態においては、親機２と子機３との間の無線通信にブルートゥースを利用する場合について示すが、両者の間の無線通信に用いられる通信技術はこれに限定されるものではなく適宜変更が可能である。例えば、赤外線を利用するＩｒＤＡ（Infrared  Data  Association）を適用しても良い。
【００２６】
相手先電池残量記憶部２４は、相手先電池残量記憶手段として機能するものであり、相手先、すなわち、子機３から受信する相手先電池残量表示通知により通知された子機３の電池残量を記憶する。この相手先電池残量記憶部２４に記憶された子機３の電池残量は、親機２が搭載するデバイスに対して指示を行う際に参照される。
【００２７】
テーブル保持部２５は、テーブル保持手段として機能するものであり、親機２及び子機３の電池残量に応じて親機２の各デバイスで実行する動作を定めたテーブルを保持する。例えば、テーブル保持部２５は、親機２及び子機３の電池残量に応じてサブディスプレイ２７５で表示される内容を定めた表示動作テーブル、親機２及び子機３の電池残量に応じて相手先電池充電装置２７６で実行する充電動作の有無を定めた充電動作テーブル、並びに、親機２及び子機３の電池残量に応じて携帯電話１に搭載される各種機能で駆動される親機２側のデバイスを定めた親機側デバイス動作テーブルを保持する。なお、これらの表示動作テーブル、充電動作テーブル及び親機側デバイス動作テーブルに登録される内容の詳細については後述する。
【００２８】
電池部２６は、親機２が動作する際に必要となる電源を供給する部分である。電池部２６は、親機２に設けられた電池収納部から着脱可能に設けられ、不図示の充電器により充電可能に構成されている。親機２は、電池部２６が充電された状態において、各種デバイスの駆動状況や無線通信状況に応じて所定時間、外部からの電源供給を受けることなく親機２だけで独立した状態で、或いは、子機３と接続した状態で動作できるものとなっている。
【００２９】
デバイス群２７を構成する操作キー２７１は、ユーザからの操作を受け付けるものであり、数字入力や文字入力を受け付けるテンキーと、後述する子機３のメインディスプレイ３６１上に表示されるカーソルを移動させる方向キー及び当該カーソルの移動により特定される内容を選択する決定キーと、特定の機能に対応づけられたファンクションキーとで構成される。
【００３０】
レシーバ２７２は、主として受話部を構成する部分であり、子機３を分離した状態において、音声通話機能及びテレビ電話機能を利用する際に通話相手の音声を出力する。また、レシーバ２７２は、子機３を分離した状態でワンセグ機能を利用する際にワンセグ放送における音声データを出力する。
【００３１】
マイク２７３は、主として送話部を構成する部分であり、子機３の状態に関わらず（すなわち、子機３が接続状態及び分離状態のいずれであっても）、音声通話機能及びテレビ電話機能を利用する際にユーザの声を受け付ける。なお、テレビ電話機能を利用する際のマイク２７３の感度は、音声通話機能を利用する際の感度よりも向上されている。
【００３２】
メインカメラ２７４は、カメラ機能が利用される際にメインの撮像デバイスとして使用される。なお、このメインカメラ２７４は、親機２の背面側に設けられており、図１に示す親機２には現われていない。
【００３３】
サブディスプレイ２７５は、表示手段として機能するものであり、親機２の動作状態に応じた情報を表示する。例えば、サブディスプレイ２７５には、親機２単独で音声通話機能が利用される場合に発信番号や着信番号が表示される。また、サブディスプレイ２７５には、後述する子機３の電池部３５の電池残量が少なくなった場合に親機２及び子機３の電池部２６及び電池部３５の電池残量が表示される。なお、本実施の形態においては、子機３の電池部３５の電池残量が少なくなった場合に限って親機２及び子機３の電池部２６及び電池部３５の電池残量を表示するように構成するが、子機３の電池部３５の電池残量に限らず、親機２及び子機３の電池部２６及び電池部３５の電池残量を表示しておくようにしても良い。
【００３４】
相手先電池充電装置２７６は、充電手段として機能するものであり、相手先、すなわち、後述する子機３の電池部３５の充電動作を行う。例えば、相手先電池充電装置２７６は、不図示の接点端子を介して、接続状態とされた子機３の電池部３５に対して電池部２６の残量電池を利用して充電動作を行う。なお、子機３の電池部３５に対する充電については、このような接点端子を介して行う場合に限定されるものではなく、非接触の態様で行うようにしても良い。
【００３５】
制御部２１は、これらの構成要素の制御を行う。特に、制御部２１は、親機２の電池部２６の電池残量と、子機３の電池部３５の電池残量とに基づいて、テーブル保持部２５に保持された表示動作テーブル、充電動作テーブルや親機側デバイス動作テーブルの内容に従って親機２に搭載される各デバイスの動作を決定する制御手段として機能する。また、詳細について後述するように、制御部２１は、親機２の電池部２６の電池残量を検出する電池残量検出手段として機能する。
【００３６】
一方、本実施の形態に係る携帯電話１が有する子機３は、図３に示すように、子機３の全体の制御を行う制御部３１と、この制御部３１に接続される短距離無線通信部３２、相手先電池残量記憶部３３、テーブル保持部３４、電池部３５及びデバイス群３６とから構成されている。そして、子機３に搭載されるデバイス群３６は、メインディスプレイ（以下、単に「ディスプレイ」という）３６１、タッチパネル３６２、レシーバ３６３、マイク３６４、スピーカ３６５、サブカメラ３６６及び相手先電池充電装置３６７を含んで構成されている。
【００３７】
短距離無線通信部３２は、不図示のアンテナ装置を介して親機２との間の短距離無線通信を行う。本実施の形態において、短距離無線通信部３２は、親機２側の短距離無線通信部２３と同様に、ブルートゥース（Bluetooth）通信を行い、親機２から音声データや画像データを受信する一方、親機２に対して各種の処理要求等を送信する。特に、短距離無線通信部３２は、制御部３１と共に電池残量通知手段として機能するものであり、後述するような親機２との間の電池残量表示変更通知の送出及び受信を行う。
【００３８】
相手先電池残量記憶部３３は、相手先電池残量記憶手段として機能するものであり、相手先、すなわち、親機２から受信する相手先電池残量表示通知により通知された親機２の電池残量を記憶する。この相手先電池残量記憶部３３に記憶された親機２の電池残量は、子機３が搭載するデバイスに対して指示を行う際に参照される。
【００３９】
テーブル保持部３４は、テーブル保持手段として機能するものであり、子機３及び親機２の電池残量に応じて子機３の各デバイスで実行する動作を定めたテーブルを保持する。例えば、テーブル保持部３４は、子機３及び親機２の電池残量に応じてディスプレイ３６１で表示される内容を定めた表示動作テーブル、子機３及び親機２の電池残量に応じて相手先電池充電装置３６７で実行する充電動作の有無を定めた充電動作テーブル、並びに、子機３及び親機２の電池残量に応じて携帯電話１に搭載される各種機能で駆動される子機３側のデバイスを定めた子機側デバイス動作テーブルを保持する。なお、これらの表示動作テーブル、充電動作テーブル及び子機側デバイス動作テーブルに登録される内容の詳細については後述する。
【００４０】
電池部３５は、子機３が動作する際に必要となる電源を供給する部分である。電池部３３は、子機３に設けられた電池収納部から着脱可能に設けられ、不図示の充電器により充電可能に構成されている。子機３は、電池部３３が充電された状態において、各種デバイスの駆動状況や短距離無線通信状況に応じて所定時間、外部からの電源供給を受けることなく子機３だけで独立した状態で動作できるものとなっている。
【００４１】
デバイス群３６を構成するディスプレイ３６１は、表示手段として機能するものであり、携帯電話１で動作する各種機能に使用される画面データや映像データを表示する。例えば、音声通話機能が動作する際には、通話中である旨を示す画面（通話中画面）が表示され、メール処理機能が動作する際には、メールの確認及び作成等が可能な画面（メール画面）が表示される。また、テレビ電話機能が動作する際には、例えば、通話相手の顔画像が表示され、ワンセグ機能が動作する際には、ワンセグ放送における映像データが表示される。また、ディスプレイ３６１には、後述するタッチパネル３６２でユーザの操作を受け付ける際に当該タッチパネル３６２の入力領域に応じた操作画面（例えば、メニュー画面）が表示される。さらに、ディスプレイ３６１には、親機２及び子機３の電池部２６及び電池部３５の電池残量が表示される。親機２のサブディスプレイ２７５における表示とは異なり、ディスプレイ３６１には、原則として常にこれらの親機２及び子機３の電池部２６及び電池部３５の電池残量が表示されるものとなっている。
【００４２】
タッチパネル３６２は、ディスプレイ３６１の下層部分に配置され、子機３が独立して動作する際の操作部を構成する部分である。タッチパネル３６２には、携帯電話１で動作する各種機能で利用される操作画面に応じた入力領域が形成され、ユーザの所望の入力操作を受け付けることができるものとなっている。例えば、子機３単独でメール処理機能を利用する際においては、確認するメールの一覧が表示されるメール画面に応じた入力領域が形成される。このメール画面からユーザが所望のメールに応じた入力領域を選択すると、当該メールの内容がディスプレイ３６１に表示されることとなる。
【００４３】
レシーバ３６３は、受話部を構成する部分であり、子機３を親機２に接続した状態、並びに、子機３を親機２から分離した状態において、音声通話機能を利用する際に通話相手の音声を出力する。
【００４４】
マイク３６４は、送話部を構成する部分であり、子機３を分離した状態において、音声通話機能を利用する際に通話相手の音声を出力する。
【００４５】
スピーカ３６５は、親機２に対して子機３が接続された状態においてテレビ電話機能が利用される際に通話相手の音声を出力する。また、スピーカ３６５は、子機３の状態に関わらず（すなわち、子機３が接続状態及び分離状態のいずれであっても）、ワンセグ機能が利用される場合にワンセグ放送の音声データを出力する。
【００４６】
サブカメラ３６６は、テレビ電話機能が利用される際にユーザ自身の顔画像を撮影するための撮像装置として使用される。なお、このサブカメラ３６６を、カメラ機能で使用するようにしても良い。
【００４７】
相手先電池充電装置３６７は、充電手段として機能するものであり、相手先、すなわち、親機２の電池部２６の充電動作を行う。例えば、相手先電池充電装置３６７は、親機２側の相手先電池充電装置２７６と同様に、不図示の接点端子を介して、接続状態とされた親機２の電池部２６に対して電池部３５の残量電池を利用して充電動作を行う。なお、親機２の電池部２６に対する充電については、このような接点端子を介して行う場合に限定されるものではなく、非接触の態様で行うようにしても良い。
【００４８】
制御部３１は、これらの構成要素の制御を行う。特に、制御部３１は、子機３の電池部３５の電池残量と、親機２の電池部２６の電池残量とに基づいて、テーブル保持部３４に保持された表示動作テーブル、充電動作テーブルや子機側デバイス動作テーブルの内容に従って子機３に搭載される各デバイスの動作を決定する制御手段として機能する。また、制御部３１は、親機２側の制御部２１と同様に、子機３の電池部３５の電池残量を検出する電池残量検出手段として機能する。
【００４９】
ここで、本実施の形態に係る携帯電話１が有する親機２のテーブル保持部２５に保持される表示動作テーブル及び充電動作テーブルの内容、並びに、子機３のテーブル保持部３４に保持される表示動作テーブル及び充電動作テーブルの内容について説明する。図４及び図５は、それぞれ本実施の形態に係る携帯電話１が有する親機２のテーブル保持部２５に保持される表示動作テーブル及び充電動作テーブルに登録される内容を説明するための図である。なお、本実施の形態においては、子機３のテーブル保持部３４にも親機２のテーブル保持部２５と同一の表示動作テーブル及び充電動作テーブルが保持されている。なお、図４及び図５に示す表示動作テーブル、充電動作テーブルの登録内容は一例を示したものであり、これに限定されるものではない。
【００５０】
表示動作テーブルにおいては、図４に示すように、親機２の電池部２６の電池残量と、子機３の電池部３５の電池残量との組み合わせに応じてディスプレイ３６１（一部、サブディスプレイ２７５）に表示される内容（電池アイコンの表示内容）が登録されている。図４に示す表示動作テーブルにおいては、親機２の電池部２６及び子機３の電池部３５における電池残量が５段階の電池残量状態（電池残量（多）、電池残量（中）、電池残量（少）、低電圧状態、電源オフ状態）に分けて登録され、それぞれの状態に応じた表示内容が登録されている。
【００５１】
表示動作テーブルにおいて、親機２の電池部２６及び子機３の電池部３５の電池残量がそれぞれ電池残量（多）、電池残量（中）及び電池残量（少）の場合には、通常の表示態様で表示を行う旨が登録されている（通常表示）。このため、これらの場合、ディスプレイ３６１には、通常の電池残量の表示態様で表示動作が行われる。例えば、子機３の電池部３５及び親機２の電池部２６の電池残量がそれぞれ電池残量（多）の場合には、ディスプレイ３６１上に、図６（ａ）に示すように、子機３に対応する電池アイコン（以下、「子機側電池アイコン」という）６１及び親機２に対応する電池アイコン（以下、「親機側電池アイコン」という）６２にそれぞれ３つの残量マークが表示される。また、子機３の電池部３５及び親機２の電池部２６の電池残量がそれぞれ電池残量（多）及び電池残量（少）の場合には、図６（ｂ）に示すように、子機側電池アイコン６１に３つの残量マークが表示される一方、親機側電池アイコン６２に１つの残量マークが表示される。
【００５２】
また、親機２の電池部２６及び子機３の電池部３５の一方又は双方の電池残量が低電圧状態の場合には、子機側電池アイコン及び親機側電池アイコンの一方又は双方に低電圧状態に対応する表示態様で表示を行う旨が登録されている（低電圧の表示）。このため、これらの場合、ディスプレイ３６１には、子機側電池アイコン及び親機側電池アイコンの一方又は双方に低電圧状態に対応する表示態様で表示動作が行われる。例えば、子機３の電池部３５及び親機２の電池部２６の電池残量がそれぞれ電池残量（多）及び低電圧状態の場合には、図６（ｃ）に示すように、子機側電池アイコン６１に３つの残量マークが表示される一方、親機側電池アイコン６２に低電圧状態に応じた１つの残量マーク（内部が空白とされた残量マーク）が表示される。なお、これらの低電圧状態が継続すると、電源オフ状態に遷移することとなる。本実施の形態に係る携帯電話１においては、このように電源オフ状態に遷移する前にその旨を報知する表示内容（低電圧状態を示す電池アイコン）を表示動作テーブルに定めることにより、該当する装置（親機２又は子機３）の充電動作等の処理をユーザに促すことが可能となる。
【００５３】
さらに、親機２及び子機３のいずれかが電源オフ状態の場合には、ディスプレイ３６１及びサブディスプレイ２７５のいずれかに、電源オフ状態に対応する表示態様で表示を行う旨が登録されている（オフ状態の表示）。このため、ディスプレイ３６１及びサブディスプレイ２７５のいずれかには、電源オフ状態に対応する表示態様で表示動作が行われる。例えば、子機３の電池部３５の電池残量が電池残量（多）である一方、親機２が電源オフ状態の場合には、ディスプレイ３６１上に、図６（ｄ）に示すように、子機側電池アイコン６１に３つの残量マークが表示される一方、親機側電池アイコン６２に電源オフアイコンが表示される。一方、子機３が電源オフ状態である一方、親機２の電池部２６の電池残量が電池残量（多）である場合には、サブディスプレイ２７５に、図６（ｅ）に示すように、親機側電池アイコン６２に３つの残量マークが表示される一方、子機側電池アイコン６１に電源オフアイコンが表示される。
【００５４】
一方、充電動作テーブルにおいては、図５に示すように、親機２の電池部２６の電池残量と、子機３の電池部３５の電池残量との組み合わせに応じて親機２から子機３への充電動作、或いは、子機３から親機２への充電動作の有無が登録されている。図５に示す充電動作テーブルにおいては、表示動作テーブルと同様に、親機２の電池部２６及び子機３の電池部３５における電池残量が５段階の電池残量状態（電池残量（多）、電池残量（中）、電池残量（少）、低電圧状態、電源オフ状態）に分けて登録され、それぞれの状態に応じた充電動作の有無が登録されている。
【００５５】
親機２の電池部２６及び子機３の電池部３５の電池残量がそれぞれ電池残量（多）及び電池残量（中）の場合には、充電動作を行わない旨が登録されている（充電動作せず）。また、親機２の電池部２６及び子機３の電池部３５の電池残量がそれぞれ電池残量（少）、低電圧状態及び電源オフ状態である場合には、充電動作を行わない旨が登録されている（充電動作せず）。このため、これらの場合には、親機２から子機３への充電動作、並びに、子機３から親機２への充電動作が行われることはない。
【００５６】
また、子機３の電池部３５の電池残量が電池残量（多）又は電池残量（中）である場合において、親機２の電池部２６の電池残量が電池残量（少）及び低電圧状態の場合、或いは、親機２が電源オフ状態の場合には、子機３から親機２への充電動作を行う旨が登録されている（子機→親機の充電開始）。このため、これらの場合、子機３の相手先電池充電装置３６７から、親機２の電池部２６への充電動作が行われることとなる。なお、このように子機３から親機２への充電動作が行われる場合、ディスプレイ３６１には、図７（ａ）に示すように、子機側電池アイコン６１から親機側電池アイコン６２への充電動作に対応する表示内容が表示される。
【００５７】
一方、親機２の電池部２６の電池残量が電池残量（多）又は電池残量（中）である場合において、子機３の電池部３５の電池残量が電池残量（少）及び低電圧状態の場合、或いは、子機３が電源オフ状態の場合には、親機２から子機３への充電動作を行う旨が登録されている（親機→子機の充電開始）。このため、これらの場合、親機２の相手先電池充電装置２７６から、子機３の電池部３５への充電動作が行われることとなる。なお、このように親機２から子機３への充電動作が行われる場合、ディスプレイ３６１には、図７（ｂ）に示すように、親機側電池アイコン６２から子機側電池アイコン６１への充電動作に対応する表示内容が表示される。
【００５８】
次に、本実施の形態に係る携帯電話１の親機２のテーブル保持部２５に保持される親機側デバイス動作テーブルの内容について説明する。図８は、本実施の形態に係る携帯電話１が有する親機２のテーブル保持部２５に保持される親機側デバイス動作テーブルに登録される内容を説明するための図である。図８に示す親機側デバイス動作テーブルは、親機２が電池残量状態（少）以上の電池残量を有する一方、子機３が電源オフ状態である場合の親機２のデバイスの動作を制御するための情報が登録されている。なお、図８に示す親機側デバイス動作テーブルで管理される親機２の機能及びデバイスは一例を示したものであり、これに限定されるものではない。例えば、親機２が有する機能及びデバイスであって、子機３の電源オフ状態に応じて制御する必要がある機能及びデバイスであれば任意の機能及びデバイスを登録することが可能である。また、ここでは、子機３が電源オフ状態である場合について説明するが、子機３が低電圧状態である場合を含めても良い。
【００５９】
図８に示すように、親機側デバイス動作テーブルにおいては、携帯電話１で動作する機能（以下、「動作機能」という）に応じて、親機２が有するデバイスの動作状態が登録されている。具体的には、携帯電話１の動作機能が「音声通話機能」、「メール処理機能」、「テレビ電話機能」及び「ｉモード（登録商標）発信機能」である場合における「サブディスプレイ」、「操作キー」、「レシーバ」及び「マイク」の動作状態が登録されている。
【００６０】
図８に示すように、携帯電話１の動作機能が音声通話機能である場合において、子機３が電源オフ状態である場合には、親機２単独で音声通話機能を利用可能とするデバイス（サブディスプレイ２７５、操作キー２７１、レシーバ２７２及びマイク２７３）を駆動する旨が登録されている。なお、音声通話機能における発信機能が動作機能である場合、サブディスプレイ２７５には発信番号を表示する旨が登録され、着信機能が動作機能である場合、サブディスプレイ２７５には着信番号を表示する旨が登録されている。
【００６１】
また、携帯電話１の動作機能がメール処理機能である場合において、子機３が電源オフ状態である場合には、親機２単独でメール処理機能が利用できないことを報知するデバイス（サブディスプレイ２７５及び操作キー２７１）を駆動する旨が登録されている。この場合、レシーバ２７２及びマイク２７３が駆動されることはない。なお、メール処理機能におけるメール送信機能が動作機能として指定された場合（すなわち、携帯電話１に搭載されるメーラが起動された場合）、サブディスプレイ２７５にはメール送信不能であることを示すメッセージを表示する旨が登録され、メール着信機能が動作機能として指定された場合（すなわち、基地局装置からメールを受信した場合）、サブディスプレイ２７５には受信したメール数を表示する旨が登録されている。なお、ここでは、親機２単独ではメール処理機能を利用できない態様に応じた情報が登録される場合について示しているが、メール処理機能を親機２単独で利用できる体酔うに応じた情報を登録しても良い。この場合には、サブディスプレイ２７５に送信対象となる電子メールを表示して編集等を行う一方、受信した電子メールをサブディスプレイ２７５に表示することが考えられる。
【００６２】
さらに、携帯電話１の動作機能がテレビ電話機能である場合において、子機３が電源オフ状態である場合には、親機２単独でテレビ電話機能が利用できないことを報知するデバイス（サブディスプレイ２７５及び操作キー２７１）を駆動する旨が登録されている。この場合、レシーバ２７２及びマイク２７３が駆動されることはない。なお、テレビ電話機能における発信機能が動作機能として指定された場合、並びに、テレビ電話機能における着信機能が動作機能として指定された場合のいずれも、サブディスプレイ２７５にはテレビ電話機能が利用できないことを示すメッセージを表示する旨が登録されている。
【００６３】
さらに、携帯電話１の動作機能がｉモード発信機能である場合において、子機３が電源オフ状態である場合には、親機２単独でｉモード発信機能が利用できないことを報知するデバイス（サブディスプレイ２７５及び操作キー２７１）を駆動する旨が登録されている。この場合、レシーバ２７２及びマイク２７３が駆動されることはない。なお、ｉモード発信機能が動作機能として指定された場合、サブディスプレイ２７５にはｉモード発信機能が利用できないことを示すメッセージを表示する旨が登録されている。
【００６４】
次に、本実施の形態に係る携帯電話１の子機３のテーブル保持部３４に保持される子機側デバイス動作テーブルの内容について説明する。図９は、本実施の形態に係る携帯電話１が有する子機３のテーブル保持部３４に保持される子機側デバイス動作テーブルに登録される内容を説明するための図である。図９に示す子機側デバイス動作テーブルは、子機３が電池残量状態（少）以上の電池残量を有する一方、親機２が電源オフ状態である場合の子機３のデバイスの動作を制御するための情報が登録されている。なお、図９に示す子機側デバイス動作テーブルで管理される子機３の機能及びデバイスは一例を示したものであり、これに限定されるものではない。例えば、子機３が有する機能及びデバイスであって、親機２の電源オフ状態に応じて制御する必要がある機能及びデバイスであれば任意の機能及びデバイスを登録することが可能である。また、ここでは、親機２が電源オフ状態である場合について説明するが、親機２が低電圧状態である場合を含めても良い。
【００６５】
図９に示すように、子機側デバイス動作テーブルにおいては、親機側デバイス動作テーブルと同様に、携帯電話１で動作する機能（動作機能）に応じて、子機３が有するデバイスの動作状態が登録されている。具体的には、携帯電話１の動作機能が「音声通話機能」、「メール処理機能」、「テレビ電話機能」及び「ｉモード発信機能」である場合における「メインディスプレイ」、「タッチパネル」、「レシーバ」及び「マイク」の動作状態が登録されている。
【００６６】
図９に示すように、携帯電話１の動作機能が音声通話機能である場合において、親機２が電源オフ状態である場合には、子機３単独で音声通話機能を利用できないことを報知するデバイス（メインディスプレイ３６１及びタッチパネル３６２）を駆動する旨が登録されている。この場合、レシーバ３６３及びマイク３６４が駆動されることはない。なお、音声通話機能における発信機能が動作機能である場合、メインディスプレイ３６１には、親機２が電源オフ状態のために音声通話機能が利用できないことを示すメッセージを表示する旨が登録されている。なお、親機２が電源オフ状態の場合には、音声着信自体が発生することがないため、音声通話機能における着信機能が動作機能として指定されることはない。
【００６７】
また、携帯電話１の動作機能がメール処理機能である場合において、親機２が電源オフ状態である場合には、子機３単独でメール処理機能を利用できないことを報知するデバイス（メインディスプレイ３６１及びタッチパネル３６２）を駆動する旨が登録されている。この場合、レシーバ３６３及びマイク３６４が駆動されることはない。なお、メール処理機能におけるメール送信機能が動作機能である場合、メインディスプレイ３６１には、親機２が電源オフ状態のためにメール処理機能が利用できないことを示すメッセージを表示する旨が登録されている。なお、親機２が電源オフ状態の場合には、メール受信自体が発生することがないため、メール処理機能におけるメール受信機能が動作機能として指定されることはない。
【００６８】
さらに、携帯電話１の動作機能がテレビ電話機能である場合において、親機２が電源オフ状態である場合には、子機３単独でテレビ電話機能を利用できないことを報知するデバイス（メインディスプレイ３６１及びタッチパネル３６２）を駆動する旨が登録されている。この場合、レシーバ３６３及びマイク３６４が駆動されることはない。なお、テレビ電話機能における発信機能が動作機能である場合、メインディスプレイ３６１には、親機２が電源オフ状態のためにテレビ電話機能が利用できないことを示すメッセージを表示する旨が登録されている。なお、親機２が電源オフ状態の場合には、テレビ電話着信自体が発生することがないため、テレビ電話機能における着信機能が動作機能として指定されることはない。
【００６９】
さらに、携帯電話１の動作機能がｉモード発信機能である場合において、親機２が電源オフ状態である場合には、子機３単独でｉモード発信機能を利用できないことを報知するデバイス（メインディスプレイ３６１及びタッチパネル３６２）を駆動する旨が登録されている。この場合、レシーバ３６３及びマイク３６４が駆動されることはない。なお、ｉモード発信機能が動作機能である場合、メインディスプレイ３６１には、親機２が電源オフ状態のためにｉモード発信機能が利用できないことを示すメッセージを表示する旨が登録されている。
【００７０】
なお、図８及び図９に示す親機側デバイス動作テーブル及び子機側デバイス動作テーブルにおいては、それぞれ子機３及び親機２が電源オフ状態（低電圧状態）であることを前提とした各動作機能におけるデバイスの動作状態が登録されているが、動作機能を実行中に子機３又は親機２が電源オフ状態（低電圧状態）に切り替わる場合も想定される。この場合には、各動作機能で駆動されている親機２及び子機３のデバイスでその旨をユーザに報知すると共に、図８及び図９に示す登録内容に従ってデバイスを制御することが好ましい。この場合には、親機２及び子機３の突然の電源オフ状態への遷移に伴って現在実行中の機能が中断される事態を回避し、携帯電話１における安定した動作を確保することが可能となる。
【００７１】
例えば、子機３を親機２に接続した状態で音声通話機能を利用している場合に子機３が電源オフ状態（低電圧状態）に切り替わる場合には、ディスプレイ３６１に、子機３の電源オフ状態（低電圧状態）の遷移に伴って子機３側のレシーバ３６３を親機２側のレシーバ２７２に切り替える旨を表示することが好ましい。また、子機３を親機２に接続した状態でテレビ電話機能を利用している場合に子機３が電源オフ状態（低電圧状態）に切り替わる場合には、ディスプレイ３６１に、子機３の電源オフ状態（低電圧状態）の遷移に伴ってテレビ電話機能を音声通話機能に切り替える旨を表示することが好ましい。さらに、子機３を親機２に接続した状態でｉモード発信機能を利用している場合に子機３が電源オフ状態（低電圧状態）に切り替わる場合には、ディスプレイ３６１に、子機３の電源オフ状態（低電圧状態）の遷移に伴ってｉモード発信を終了する旨を表示することが好ましい。
【００７２】
一方、子機３を親機２に接続した状態で音声通話機能を利用している場合に親機２が電源オフ状態（低電圧状態）に切り替わる場合には、ディスプレイ３６１に、親機２の電源オフ状態（低電圧状態）の遷移に伴って音声通話機能を終了する旨を表示することが好ましい。また、子機３を親機２に接続した状態でテレビ電話機能を利用している場合に親機２が電源オフ状態（低電圧状態）に切り替わる場合には、ディスプレイ３６１に、親機２の電源オフ状態（低電圧状態）の遷移に伴ってテレビ電話機能を終了する旨を表示することが好ましい。さらに、子機３を親機２に接続した状態でｉモード発信機能を利用している場合に親機２が電源オフ状態（低電圧状態）に切り替わる場合には、ディスプレイ３６１に、親機２の電源オフ状態（低電圧状態）の遷移に伴ってｉモード発信を終了する旨を表示することが好ましい。
【００７３】
次に、このような構成を有する携帯電話１における動作について説明する。以下においては、携帯電話１が有する親機２が子機３に対して電池残量を通知した後に所定のデバイスの動作を制御する場合の動作、並びに、携帯電話１が有する親機２が子機３から電池残量を通知された後に所定のデバイスの動作を制御する場合の動作について説明する。図１０は、本実施の形態に係る携帯電話１が有する親機２が子機３に対して電池残量を通知した後に所定のデバイスの動作を制御する場合の動作を説明するためのシーケンス図である。図１１は、本実施の形態に係る携帯電話１が有する親機２が子機３から電池残量を通知された後に所定のデバイスの動作を制御する場合の動作について説明するためのシーケンス図である。なお、ここでは、親機２を主に説明するが、子機３においても同様の動作を行う。
【００７４】
図１０に示すように、制御部２１においては、一定時間の経過を監視し（ステップＳＴ１００１）、一定時間の経過を検出した場合には、電池部２６に対して電池残量を要求する（ステップＳＴ１００２：電池残量要求）。この電池残量要求を受け取った場合には、電池部２６から電池残量が制御部２１に対して応答される（ステップＳＴ１００３：電池残量応答）。そして、この電池残量応答を受け取った場合には、制御部２１において、子機３のディスプレイ３６１における電池残量の表示を変更すべきか判定される（ステップＳＴ１００４）。具体的には、電池部２６における電池残量が切り替わったか否かが判定される。すなわち、制御部２１は、電池部２６における電池残量を検出する電池残量検出手段として機能する。ここで、電池部２６における電池残量状態が切り替わっていない場合には、処理がステップＳＴ１００１に戻され、ＳＴ１００１以降の処理が繰り返される。
【００７５】
一方、電池部２６における電池残量が切り替わっている場合には、制御部２１から電池残量の表示を変更する旨を通知する電池残量表示変更通知が短距離無線通信部２３に送出される（ステップＳＴ１００５）。この電池残量表示変更通知には、変更後の電池残量状態が含まれる。この電池残量表示変更通知を受け取った場合には、短距離無線通信部２３から子機３（短距離無線通信部３２）に対して電池残量表示変更通知に送出される（ステップＳＴ１００６）。
【００７６】
短距離無線通信部２３に電池残量表示変更通知を送出した後、制御部２１においては、相手先電池残量記憶部２４に対して相手先電池残量を要求する（ステップＳＴ１００７：相手先電池残量要求）。この相手先電池残量要求を受け取った場合には、相手先電池残量記憶部２４から相手先電池残量が制御部２１に対して応答される（ステップＳＴ１００８：相手先電池残量応答）。なお、この場合において、相手先電池残量記憶部２４には、子機３側から常に新しい電池残量が通知され、記憶されているものとする。
【００７７】
この相手先電池残量応答を受け取った場合には、制御部２１において、親機２及び子機３の電池残量状態と、テーブル保持部２５に保持されている動作対応テーブル（表示動作テーブル、充電動作テーブル及び親機側デバイス動作テーブル）の登録内容とに従って各デバイスの動作を決定する（ステップＳＴ１００９）。そして、該当するデバイスに対して動作テーブル内に指定された所定の動作状態を指示する（ステップＳＴ１０１０）。このようにして、親機２が子機３に対して電池残量を通知した後に所定のデバイスの動作を制御する場合の動作が終了する。
【００７８】
例えば、充電動作テーブルに基づいた動作状態の指示の具体例を示すと、親機２の電池残量状態が電池残量（多）である一方、子機３の電池残量状態が電池残量（少）である場合には、制御部２１は、相手先電池充電装置２７６に対して充電動作を指示することとなる。このように本実施の形態に係る携帯電話１においては、親機２及び子機３の電池残量と、充電動作テーブルの内容とから充電動作の有無が決定されることから、例えば、子機３における電池残量が少ないような場合に、適切に親機２から子機３の電池部３５の充電を行うことが可能となる。
【００７９】
一方、図１１に示すように、図１０に示す親機２と同様の要領で子機３において、電池残量状態が切り替わったことを検出すると、子機３から親機２に対して電池残量表示変更通知が送出される（ステップＳＴ１１０１）。この電池残量表示変更通知には、変更後の子機３の電池残量状態を示す情報が含まれる。短距離無線通信部２３において、この電池残量表示変更通知を受け取った場合には、短距離無線通信部２３から制御部２１に対して電池残量表示変更通知が送出される（ステップＳＴ１１０２）。この電池残量表示変更通知を受け取ると、制御部２１において、これに含まれる子機３の電池残量状態の変更を相手先電池残量記憶部２４に要求する（ステップＳＴ１１０３：相手先電池残量変更要求）。
【００８０】
この相手先電池残量変更要求を受け取った場合には、相手先電池残量記憶部２４において、これに含まれる子機３の電池残量状態（相手先電池残量）が記憶される（ステップＳＴ１１０４）。これにより、相手先電池残量記憶部２４に記憶されていた子機３の電池残量状態が更新されることとなる。そして、子機３の電池残量状態（相手先電池残量）を変更した旨を示す応答（相手先電池残量変更応答）が相手先電池残量記憶部２４から制御部２１に対して送出される（ステップＳＴ１１０５）。
【００８１】
この相手先電池残量変更応答を受け取った場合には、制御部２１において、親機２及び子機３の電池残量状態と、テーブル保持部２５に保持されている動作対応テーブル（表示動作テーブル、充電動作テーブル及び親機側デバイス動作テーブル）の登録内容とに従って各デバイスの動作を決定する（ステップＳＴ１１０６）。そして、該当するデバイスに対して動作テーブル内に指定された所定の動作状態を指示する（ステップＳＴ１１０７）。このようにして、親機２が子機３から電池残量を通知された後に所定のデバイスの動作を制御する場合の動作が終了する。
【００８２】
例えば、表示動作テーブルに基づいた動作状態の指示の具体例を示すと、親機２の電池残量状態が電池残量（多）である一方、子機３の電池残量状態が低電圧状態である場合には、制御部２１は、子機３側の制御部３１を介してディスプレイ３６１に子機３が低電圧状態である旨の表示動作を指示することとなる。このように本実施の形態に係る携帯電話１においては、親機２及び子機３の少なくとも一方の電池残量の変更が検出されると、親機２及び子機３の電池残量と、表示動作テーブルの内容とに応じてディスプレイ３６１等に表示される親機２及び子機３の電池残量が決定されることから、常に最新の親機２及び子機３の電池残量をディスプレイ３６１に表示することができるので、各装置における最新の電池残量状態をユーザに報知することが可能となる。
【００８３】
親機２及び子機３のいずれかが電源オフ状態の場合においては、その親機２又は子機３から電池残量表示変更通知が送出されなくなる。このため、本実施の形態に係る携帯電話１においては、ブルートゥース通信における切断検知を該当する端末の電源オフ状態として扱って処理を進めるように構成されている。以下、このように親機２及び子機３のいずれかが電源オフ状態の場合における携帯電話１の動作について説明する。図１２は、本実施の形態に係る携帯電話１が有する親機２及び子機３のいずれかが電源オフ状態の場合における動作を説明するためのシーケンス図である。なお、図１２においては、子機３が電源オフ状態の場合における親機２の動作を例に説明するが、親機２が電源オフ状態における子機３の動作についても同様の要領で処理が行われる。
【００８４】
図１２に示すように、子機３が電源オフ状態の場合には、ブルートゥース通信で実行される相手先サーチに対する不応答に基づいて、短距離無線通信部２３において、ブルートゥース通信の切断が検知される（ステップＳＴ１２０１）。ブルートゥース通信の切断を検知すると、短距離無線通信部２３から制御部２１に対してブルートゥース通信の切断が通知される（ステップＳＴ１２０２：ブルートゥース切断通知）。このブルートゥース切断通知を受け取った場合、制御部２１においては、子機３の電池残量状態が電源オフ状態であると認識される（ステップＳＴ１２０３）。子機３の電源オフ状態を認識すると、制御部２１から、子機３の電池残量状態の変更が相手先電池残量記憶部２４に要求される（ステップＳＴ１２０４：相手先電池残量変更要求）。なお、この相手先電池残量変更要求には、子機３の電池残量状態（ここでは、電源オフ状態）が含まれる。
【００８５】
この相手先電池残量変更要求を受け取った場合には、相手先電池残量記憶部２４において、これに含まれる子機３の電池残量状態（ここでは、電源オフ状態）が記憶される（ステップＳＴ１２０５）。これにより、相手先電池残量記憶部２４に記憶されていた子機３の電池残量状態が更新されることとなる。そして、子機３の電池残量状態を変更した旨を示す応答（相手先電池残量変更応答）が相手先電池残量記憶部２４から制御部２１に対して送出される（ステップＳＴ１２０６）。
【００８６】
この相手先電池残量変更応答を受け取った場合には、制御部２１において、親機２及び子機３の電池残量状態（電源オフ状態）と、テーブル保持部２５に保持されている動作対応テーブル（表示動作テーブル、充電動作テーブル及び親機側デバイス動作テーブル）の登録内容とに従って各デバイスの動作を決定する（ステップＳＴ１２０７）。そして、該当するデバイスに対して動作テーブル内に指定された所定の動作状態を指示する（ステップＳＴ１２０８）。このようにして、親機２及び子機３のいずれかが電源オフ状態の場合における動作が終了する。
【００８７】
例えば、親機側デバイス動作テーブルに基づいた動作状態の指示の具体例を示すと、親機２の電池残量状態が電池残量（多）である一方、子機３の電池残量状態が電源オフ状態である場合には、制御部２１は、携帯電話１の動作機能に応じて特定デバイスの駆動を切り替える。例えば、動作機能が音声通話機能である場合には、親機２側のレシーバ２７２の駆動を指示し、通話相手からの音声をレシーバ２７２から出力させることとなる。このように本実施の形態に係る携帯電話１においては、親機２及び子機３の一方が電源オフ状態であると検出された場合にデバイス動作テーブルの内容に応じて駆動されるデバイスを決定するようにしたことから、例えば、片方の装置で利用可能な機能の実行を確保することや、一方の装置（親機２又は子機３）の電源オフ状態に起因して特定の機能が利用できない旨をユーザに報知するなどが可能となる。特に、本実施の形態に係る携帯電話１においては、図８又は図９に示すように、デバイス動作テーブルに、親機２又は子機３で動作する機能に応じて駆動されるデバイスを定めていることから、親機２又は子機３で動作する機能に応じて駆動されるデバイスを選択することができるので、該当する機能に応じて必要なデバイスを適切に駆動することが可能となる。
【００８８】
なお、このような動作を行う過程において、短距離無線通信部２３で実行されるブルートゥース通信の相手先サーチ（ステップＳＴ１２０９）により子機３側から電池残量表示変更通知を受け取った場合には、図１１で説明したシーケンスに従って処理を行う。図１２に示すシーケンスにおいては、ブルートゥース通信の切断検知を子機３の電源オフ状態として取り扱うことから、単に子機３が親機２におけるブルートゥース通信圏外まで離れてしまう場合も想定される。しかしながら、上述したように、相手先サーチにより子機３側から電池残量表示変更通知を受け取った場合には、図１１に示すシーケンスに従って処理を再開するため、このように取り扱うことの不具合が発生することはない。
【００８９】
以上説明したように、本実施の形態に係る携帯電話１においては、相手先装置から通知された電池残量、並びに、テーブル保持部２５（テーブル保持部３４）に保持された動作テーブル（表示動作テーブル、充電動作テーブル及びデバイス動作テーブル）の内容に基づいて親機２及び子機３が有するデバイスの動作が決定するようにしたことから、分離可能な構成を有する場合においても相手先装置の電池残量に応じて親機２及び子機３が有するデバイスの動作を選択することができる。これにより、例えば、一方の装置における電池残量が少ないような場合には、他方の装置でその旨を報知することや、他方の装置から一方の装置の充電を行うことなどが可能となるので、ユーザが予期することなく携帯電話１が搭載する機能が利用不能となるような事態を防止でき、携帯電話１における安定した動作を確保しつつ、携帯電話１の一部を分離して使用することが可能となる。
【００９０】
例えば、本実施の形態に係る携帯電話１において、子機３側の制御部３１は、親機２及び子機３の電池残量と、動作テーブルの内容とに従って子機３が有するデバイスの動作を決定するようにしていることから、親機２における電池残量が少ないような場合には、子機３でその旨を報知することや、子機３から親機２の電池部２６の充電を行うことなどが可能となるので、ユーザが予期することなく携帯電話１が搭載する機能が利用不能となるような事態を防止でき、携帯電話１における安定した動作を確保することが可能となる。
【００９１】
同様に、本実施の形態に係る携帯電話１において、親機２側の制御部２１は、親機２及び子機３の電池残量と、動作テーブルの内容とに従って親機２が有するデバイスの動作を決定するようにしていることから、子機３における電池残量が少ないような場合には、親機２でその旨を報知することや、親機２から子機３２の電池部３５の充電を行うことなどが可能となるので、ユーザが予期することなく携帯電話１が搭載する機能が利用不能となるような事態を防止でき、携帯電話１における安定した動作を確保することが可能となる。
【００９２】
本発明は上記実施の形態に限定されず、種々変更して実施することが可能である。例えば、本発明の範囲を逸脱しない限りにおいて、処理部や処理手順については適宜変更して実施することが可能である。その他、本発明の範囲を逸脱しないで適宜変更して実施することが可能である。
【００９３】
例えば、上記実施の形態においては、携帯電話１が有する親機２及び子機３の双方で相手側電池充電装置２７６及び相手側電池充電装置３６７を有し、相手側端末の充電機能を備える場合について説明しているが、これに限定されるものではない。例えば、親機２のみが子機３の充電機能を備える場合にも適用することが可能である。
【００９４】
また、上記実施の形態においては、図５に示す充電動作テーブルの登録内容のように、親機２及び子機３の電池残量に応じて、親機２から子機３への充電動作、或いは、子機３から親機２への充電動作を行うようにしている。しかしながら、本実施の形態のようにその一部を分離可能とする携帯電話１においては、親機２及び子機３の電池残量状態のみに基づいて充電動作を行うと、両者の電池部２６及び電池部３５の容量の相違や、各種動作機能における消費電力の相違等に起因して適切に充電動作を行うことができない場合が発生し得る。このため、各種動作機能における単位時間当たりの消費電力と、現在の電池残量とから駆動可能な時間（残り駆動時間）を割り出し、この残り駆動時間に応じて充電動作の制御を行うことは実施の形態として好ましい。この場合には、残り駆動時間に応じた充電動作を行うことが可能となるので、残り駆動時間を最長化できる最適な充電動作を行うことが可能となる。
【００９５】
さらに、親機２で子機３の電池残量が少ないことを検知したような場合に、親機２と子機３との間で通信されるデータ量を削減することで子機３側の電力消費を低減するようにしても良い。例えば、親機２と子機３との間で画像データを通信するような場合に画素数を落とすことや、送信対象とするコマ数を間引くことなどが考えられる。この場合には、子機３の電力消費を低減することができるので、子機３の残り駆動時間を長時間化することが可能となる。
【図面の簡単な説明】
【００９６】
【図１】本発明の一実施の形態に係る携帯電話の外観を示す図である。
【図２】上記実施の形態に係る携帯電話が有する親機の構成を示すブロック図である。
【図３】上記実施の形態に係る携帯電話が有する子機の構成を示すブロック図である。
【図４】上記実施の形態に係る携帯電話が有する親機のテーブル保持部に保持される表示動作テーブルに登録される内容を説明するための図である。
【図５】上記実施の形態に係る携帯電話が有する親機のテーブル保持部に保持される充電動作テーブルに登録される内容を説明するための図である。
【図６】上記実施の形態に係る携帯電話のディスプレイ等に表示される電池アイコンの一例を示す図である。
【図７】上記実施の形態に係る携帯電話のディスプレイ等に表示される電池アイコンの一例を示す図である。
【図８】上記実施の形態に係る携帯電話が有する親機のテーブル保持部に保持される親機側デバイス動作テーブルに登録される内容を説明するための図である。
【図９】上記実施の形態に係る携帯電話が有する子機のテーブル保持部に保持される子機側デバイス動作テーブルに登録される内容を説明するための図である。
【図１０】上記実施の形態に係る携帯電話が有する親機が子機に対して電池残量を通知した後に所定のデバイスの動作を制御する場合の動作を説明するためのシーケンス図である。
【図１１】上記実施の形態に係る携帯電話が有する親機が子機から電池残量を通知された後に所定のデバイスの動作を制御する場合の動作について説明するためのシーケンス図である。
【図１２】上記実施の形態に係る携帯電話が有する親機及び子機のいずれかが電源オフ状態の場合における動作を説明するためのシーケンス図である。
【符号の説明】
【００９７】
１  携帯電話
２  親機
２１  制御部
２２  無線通信部
２３  短距離無線通信部
２４  相手先電池残量記憶部
２５  テーブル保持部
２６  電池部
２７  デバイス群
２７１  操作キー
２７２  レシーバ
２７３  マイク
２７４  メインカメラ
２７５  サブディスプレイ
２７６  相手先電池充電装置
３  子機
３１  制御部
３２  短距離無線通信部
３３  相手先電池残量記憶部
３４  テーブル保持部
３５  電池部
３６  デバイス群
３６１  ディスプレイ
３６２  タッチパネル
３６３  レシーバ
３６４  マイク
３６５  スピーカ
３６６  サブカメラ
３６７  相手先電池充電装置
６１  子機側電池アイコン
６２  親機側電池アイコン
【図１】
2010124379.tif 000003
【図２】
2010124379.tif 000004
【図３】
2010124379.tif 000005
【図４】
2010124379.tif 000006
【図５】
2010124379.tif 000007
【図６】
2010124379.tif 000008
【図７】
2010124379.tif 000009
【図８】
2010124379.tif 000010
【図９】
2010124379.tif 000011
【図１０】
2010124379.tif 000012
【図１１】
2010124379.tif 000013
【図１２】
2010124379.tif 000014